(57)【要約】【課題】第一接触部と第二接触部とを備える端子において、大きな変位量を確保することができる新たな構造の端子を提供する。【解決手段】端子４０は、相手側端子９２と導通する第一接触部５０と、基板固定端子１８の端子接続部１８ｂと導通する第二接触部６０と、第一接触部５０から第二接触部６０まで伸長することで第一接触部５０と第二接触部６０とを連結する連結部７０と、を備える。連結部７０は、第一接触部５０が第二接触部６０に対して端子上下方向に相対変位できるように構成されている。さらに、連結部７０は、第一接触部５０と第二接触部６０との間の空間を端子上方に向けて伸長する上方伸長部７３，７４，７５を有する。【選択図】図８
2020024856.tif 000002
【特許請求の範囲】
【請求項１】
端子上方向に挿入される第一接続対象物に端子水平方向から接触することにより前記第一接続対象物と導通する第一接触部と、
前記第一接触部の端子後方に配置され、端子上方向に挿入される第二接続対象物に端子水平方向から接触することにより第二接続対象物と導通する第二接触部と、
前記第一接触部から前記第二接触部まで伸長することで前記第一接触部と前記第二接触部とを連結し、前記第一接触部が前記第二接触部に対して端子上下方向に相対変位できるように構成された連結部と、
を備える電気接続用端子であって、
前記連結部は、前記第一接触部と前記第二接触部との間の空間を端子上方に向けて伸長する上方伸長部を有する、
電気接続用端子。
【請求項２】
前記連結部は、前記第一接触部の端子下端よりも下方には突出せず、前記第二接触部の端子上端よりも上方には突出しない、
請求項１に記載の電気接続用端子。
【請求項３】
前記連結部は、始点から終点までに亘って、その板厚方向を端子水平方向に向けている、
請求項１又は請求項２に記載の電気接続用端子。
【請求項４】
前記上方伸長部は、板面方向に蛇行する蛇行部を有する、
請求項１〜請求項３の何れか一項に記載の電気接続用端子。
【請求項５】
前記連結部は、前記第一接触部の端子下端から前記第二接触部の端子上端まで伸長している、
請求項１〜請求項４の何れか一項に記載の電気接続用端子。
【請求項６】
請求項１〜請求項５の何れか一項に記載の電気接続用端子と、
前記電気接続用端子を収容するハウジングと、
を備えるコネクタ。
【発明の詳細な説明】
【技術分野】
【０００１】
本発明は、電気接続用端子に関する。
【背景技術】
【０００２】
特許文献１に開示されている電気接続用端子（メス型端子１０）は、端子上方向に挿入される第一接続対象物（第２オス型端子４）に端子水平方向から接触することにより第一接続対象物と導通する第一接触部（第２メス端子１２）と、第一接触部の端子後方に配置され、端子上方向に挿入される第二接続対象物（第１オス型端子３）に端子水平方向から接触することにより第二接続対象物と導通する第二接触部（第１メス端子１１）と、第一接触部から第二接触部まで伸長することで第一接触部と第二接触部とを連結する連結部（連結バネ２０）と、を備えている。連結部は、第一接触部が第二接触部に対して端子上下方向に相対変位できるように構成されている。
【先行技術文献】
【特許文献】
【０００３】
【特許文献１】特開２０１４−１０９４９号公報
【発明の概要】
【発明が解決しようとする課題】
【０００４】
上述のような第一接触部と第二接触部とを備える端子においては、端子を含むコネクタ全体の小型化や他の部材との関係に応じて、端子の構造に関する様々な要求がある。
【０００５】
本発明は、第一接触部と第二接触部とを備える端子において、大きな変位量を確保することができる新たな構造の端子を提供することを目的とする。
【課題を解決するための手段】
【０００６】
第１の態様に係る電気接続用端子は、端子上方向に挿入される第一接続対象物に端子水平方向から接触することにより前記第一接続対象物と導通する第一接触部と、前記第一接触部の端子後方に配置され、端子上方向に挿入される第二接続対象物に端子水平方向から接触することにより第二接続対象物と導通する第二接触部と、前記第一接触部から前記第二接触部まで伸長することで前記第一接触部と前記第二接触部とを連結し、前記第一接触部が前記第二接触部に対して端子上下方向に相対変位できるように構成された連結部と、を備える電気接続用端子であって、前記連結部は、前記第一接触部と前記第二接触部との間の空間を端子上方に向けて伸長する上方伸長部を有する、電気接続用端子である。
ここで「第一接触部と第二接触部との間の空間」とは、端子側面視で、第一接触部と第二接触部との間の空間をいう。また、ここでいう「端子上方に向けて伸長する」には、端子上方に平行に伸長する構成の他、端子上方に対して斜め方向に伸長する構成や、端子上方に向けて蛇行しながら伸長する構成をも含む趣旨である。
【０００７】
この態様では、電気接続用端子は、第一接続対象物と導通する第一接触部と、第二接続対象物と導通する第二接触部と、第一接触部から第二接触部まで伸長することで第一接触部と第二接触部とを連結する連結部と、を備える。連結部は、第一接触部が第二接触部に対して端子上下方向に相対変位できるように構成されている。
【０００８】
さらに、連結部は、第一接触部と第二接触部との間の空間を端子上方に向けて伸長する上方伸長部を有する。このため、第一接触部と第二接触部との間の空間を経由しないで連結部を形成する態様と比較して、連結部の長さを稼ぎやすい。その結果、大きな変位量（第二接触部に対する第一接触部の端子上下方向の変位量）を確保できる。
【０００９】
第２の態様に係る電気接続用端子は、第１の態様において、前記連結部は、前記第一接触部の端子下端よりも下方には突出せず、前記第二接触部の端子上端よりも上方には突出しない。
【００１０】
この態様では、連結部は、第一接触部の下端よりも下方には突出しないし、第二接触部の上端よりも上方には突出しない。このため、端子やコネクタを上下に小型なものとすることができる。
【００１１】
第３の態様に係る電気接続用端子は、第１又は第２の態様において、前記連結部は、始点から終点までに亘って、その板厚方向を端子水平方向に向けている。
【００１２】
この態様では、連結部が、その始点から終点までに亘って、その板厚方向を端子水平方向に向けている。このため、ハウジングに対して上方から端子を収容しやすい。つまり、端子の連結部を上方から差し込むために形成する溝等を狭く設計できる。
【００１３】
第４の態様に係る電気接続用端子は、第１〜第３の何れかの態様において、前記上方伸長部は、板面方向に蛇行する蛇行部を有する。
【００１４】
この態様では、上方伸長部が、板面方向に蛇行する蛇行部を有する。蛇行部により上方伸長部が上下方向に変形可能となっており、これによって変位量を確保できる。
【００１５】
第５の態様に係る電気接続用端子は、第１〜第４の何れかの態様において、前記連結部は、前記第一接触部の端子下端から前記第二接触部の端子上端まで伸長している。
【００１６】
この態様では、連結部が、第一接触部の下端から第二接触部の上端まで伸長している。このため、連結部の長さをより一層長くできる。
【００１７】
第６の態様に係るコネクタは、第１〜第５の何れかの態様に係る電気接続用端子と、前記電気接続用端子を収容するハウジングと、を備えるコネクタである。
【発明の効果】
【００１８】
以上説明したように、本発明は、第一接触部と第二接触部とを備える端子において、大きな変位量を確保することができるという優れた効果を有する。
【図面の簡単な説明】
【００１９】
【図１】実施形態に係る本体側部材の分解斜視図である。
【図２】図１の状態からハウジング本体に端子を収容した図である。
【図３】実施形態に係る本体側部材と基板側部材の斜視図である。
【図４】コネクタの斜視図である。
【図５】図４の断面図である。
【図６】コネクタの側断面図である。
【図７】図６とは別の断面位置での側断面図である。
【図８】端子の側面図である。
【図９】端子の斜視図である。
【図１０】本体側部材において、カバーと３つの端子を省略した状態を、上方から見た斜視図である。
【図１１】本体側部材において、ハウジング本体と３つの端子を省略した状態を、下方から見た斜視図である。
【発明を実施するための形態】
【００２０】
以下、本発明の実施形態に係るコネクタ１０について説明する。
【００２１】
各図に示す矢印Ｘは、端子前方向及びコネクタ前方向を示し、矢印Ｙは、端子幅方向及びコネクタ幅方向を示し、矢印Ｚは、端子上方向及びコネクタ上方向を示す。また、端子上下方向に直交する方向を端子水平方向という。以下、単に前方向、幅方向、上方向などということがある。なお、これら方向を示す語は説明の便宜上定義したものであり、端子やコネクタが使用される状態での姿勢を限定するものではない。
【００２２】
図３に示すように、コネクタ１０は、基板側部材１４と、本体側部材１２と、を備える。
【００２３】
図１に示すように、本体側部材１２は、ハウジング本体２０、複数の端子４０（「電気接続用端子」）及びカバー３０を備える。まず、複数の端子４０がハウジング本体２０に収容され（図２参照）、その後、カバー３０がハウジング本体２０に取り付けられることで、本体側部材１２が組立てられる（図３参照）。ハウジング本体２０及びカバー３０が本発明の「ハウジング」に相当する。
【００２４】
図３に示すように、基板側部材１４は、例えば合成樹脂製の基部１６と、基部１６に保持された複数の基板固定端子１８と、を備える。
【００２５】
まず、基板側部材１４が基板に固定され（図３参照）、次に、基板に固定された基板側部材１４に本体側部材１２が取り付けられることでコネクタ１０が基板に実装される（図４参照）。
【００２６】
＜端子＞
図１等に示すように、複数（本実施形態では５つ）の端子４０は、互いに同一の形状とされている。図６〜図９等に示すように、端子４０は、第一接触部５０と、第二接触部６０と、第一接触部５０から第二接触部６０まで伸長することで第一接触部５０と第二接触部６０とを連結する連結部７０と、を備える。
【００２７】
第一接触部５０は、上方向に挿入される「第一接続対象物」としての相手側端子９２（図６参照）と接触して導通する部分である。第二接触部６０は、上方向に挿入される「第二接続対象物」としての基板固定端子１８と接触して導通する部分である。基板固定端子１８は、基板（図示省略）に半田付けなどされて導通するので、端子４０を介して、基板と相手側端子９２とが導通する。なお、相手側端子９２は、基板に形成された貫通孔などを介して基板の下方側から上方へ向けて挿入される。
【００２８】
連結部７０は、弾性変形容易に形成されている。これにより、連結部７０は、第一接触部５０が第二接触部６０に対して上下方向（挿抜方向）に変位できるように構成されている。
【００２９】
第一接触部５０は、前壁５１Ｆ、一対の側壁５１Ｓ及び後壁５１Ｒにより構成された第一筒部５１を有する。第一筒部５１は、上下方向に直交する断面形状が矩形とされている。
第二接触部６０は、前壁６１Ｆ、一対の側壁６１Ｓ及び後壁６１Ｒにより構成された第二筒部６１を有する。第二筒部６１は、上下方向に直交する断面形状が矩形とされている。
【００３０】
図６に示すように、第一接触部５０は、相手側端子９２に対して前後方向から接触することで導通接続する。相手側端子９２は、第一接触部５０の屈曲した接触片５２と、第一接触部５０の後壁５１Ｒとの間に挟持され、これにより、第一接触部５０が相手側端子９２に固定される。第一接触部５０の接触片５２は、上下一対形成されている。上側の接触片５２は、第一接触部５０の前壁５１Ｆの上部から下方に向けて伸長しており、下側の接触片５２は、第一接触部５０の前壁５１Ｆの下部から上方に向けて伸長している。また、第一接触部５０の後壁５１Ｒには、第一接触部５０の内部に突出するビード５１Ｒ１が形成されている。ビード５１Ｒ１は上下方向に延びている。ビード５１Ｒ１の下端は、下側の接触片５２の接点よりも下側に位置し、ビード５１Ｒ１の上端は、上側の接触片５２の接点よりも上側に位置している。
【００３１】
第二接触部６０は、基板固定端子１８に対して前後方向から接触することで導通する。基板固定端子１８は、第二接触部６０の屈曲した接触片６２と、第二接触部６０の前壁６１Ｆとの間に挟持され、これにより、第二接触部６０が基板固定端子１８に固定される。第二接触部６０の接触片６２は、上下一対形成されている。上側の接触片６２は、第二接触部６０の後壁６１Ｒの上部から下方に向けて伸長しており、下側の接触片６２は、第二接触部６０の後壁６１Ｒの下部から上方に向けて伸長している。また、第二接触部６０の前壁６１Ｆには、第二接触部６０の内部に突出するビード６１Ｆ１が形成されている。ビード６１Ｆ１は上下方向に延びている。ビード６１Ｆ１の下端は、下側の接触片６２の接点よりも下側に位置し、ビード６１Ｆ１の上端は、上側の接触片６２の接点よりも上側に位置している。
【００３２】
図８等に示すように、連結部７０は、第一接触部５０から後方向に向けて伸長する第一後方伸長部７１と、上方向に向けて伸長する上方伸長部７３，７４，７５と、上方伸長部７３，７４，７５から後方向に向けて伸長する第二後方伸長部７７と、を伸長方向でこの順に有する。上方伸長部７３，７４，７５は、第一接触部５０の後方であって第二接触部６０の前方に位置している。
【００３３】
連結部７０は、第一筒部５１の側壁５１Ｓが後方に延長されることで形成されている。具体的には、連結部７０の第一後方伸長部７１は、第一筒部５１の側壁５１Ｓが後方に延長されることで形成されている。これにより、第一後方伸長部７１は、板厚方向を端子幅方向に向けている。
【００３４】
第一後方伸長部７１は、板厚方向に屈曲された屈曲部７２を介して上方伸長部７３，７４，７５に繋がっている。上方伸長部７３，７４，７５は、板厚方向を端子前後方向に向けている。上方伸長部７３，７４，７５は、下端部７３、中間部７４及び上端部７５から構成されている。中間部７４は、板面方向（本実施形態ではＹＺ平面に沿う方向）に蛇行する蛇行部ｓ（図９参照）を複数（本実施形態では８つ）有している。これにより、上方伸長部７３，７４，７５は、その大部分が蛇行形状となっている。その結果、上方伸長部７３，７４，７５のうち蛇行形状部分の上端（最も上方の蛇行部ｓ）は、第二接触部６０の接触点（本実施形態では、上側の接触片６２の接触点）よりも上方に位置し、蛇行形状部分の下端（最も下方の蛇行部ｓ）は、第一接触部５０の接触点（本実施形態では、下側の接触片５２の接触点）よりも下方に位置している（図６も参照）。中間部７４の蛇行形状は、打抜き加工により形成されている。上端部７５は、板厚方向に屈曲された屈曲部７６を介して第二後方伸長部７７に繋がっている。第二後方伸長部７７は、第二筒部６１の側壁６１Ｓが前方に延長されることで形成されている。これにより、第二後方伸長部７７は、板厚方向を端子幅方向に向けている。したがって、連結部７０は、その始点７０ａから終点７０ｂまでに亘って、その板厚方向を端子水平方向に向けている。また、図９に示すように、第一後方伸長部７１が接続される第一筒部５１の側壁５１Ｓと、第二後方伸長部７７が接続される第二筒部６１の側壁６１Ｓとは、端子幅方向で反対側の側壁となっている。
【００３５】
＜ハウジング＞
図１０に示すように、ハウジング本体２０は、第一接触部５０を収容する第一収容部２１と、第二接触部６０を収容する第二収容部２２と、連結部７０を収容する連結収容部２５と、を有する。第一収容部２１、第二収容部２２及び連結収容部２５は、上方に開口されており、ハウジング本体２０の上方から端子４０の第一接触部５０、第二接触部６０及び連結部７０を収容することができる。
【００３６】
また、連結収容部２５は、第一収容部２１と接続されており、接続された部分を第一後方伸長部７１が通過し、収容されるようになっている。連結収容部２５と第一収容部２１との間には、コネクタ幅方向の一部に前後隔壁２４が形成されており、コネクタ幅方向のその他の一部（前後隔壁２４が形成されていない部分）で前述のとおり、連結収容部２５と第一収容部２１とが接続されている。図６に示すように、前後隔壁２４は、第一接触部５０と上方伸長部７３，７４との間に配置される。
【００３７】
図１０に示すように、第二収容部２２と連結収容部２５の間には、コネクタ幅方向の前部で前後隔壁２３が形成されている。図７に示すように、前後隔壁２３の高さは、第二後方伸長部７７よりも低く形成されており、前後隔壁２３の上方を第二後方伸長部７７が伸長する。前後隔壁２３は、上方伸長部７４と第二接触部６０との間に配置される。
【００３８】
第一接触部５０及び第二接触部６０は、端子４０の数だけ設けられ、複数の第一収容部２１は、幅隔壁２６Ｆにより互いに区画され、複数の第二収容部２２は、幅隔壁２６Ｒにより互いに区画されている。また、複数の連結収容部２５は、幅隔壁２６Ｍにより互いに区画されている。幅隔壁２６Ｍの高さは、幅隔壁２６Ｆと幅隔壁２６Ｒのいずれよりも高い。
【００３９】
第一収容部２１の前壁面には、上下方向に延びる拡大溝２７Ｆが形成されている。拡大溝２７Ｆにより第一接触部５０の接触片５２が変形する空間が確保されている（図６参照）。第一収容部２１の前壁面のうち拡大溝２７Ｆ以外の部分は、第一筒部５１の前壁５１Ｆが接触するように構成されている。
第二収容部２２の後壁面には、上下方向に延びる拡大溝２７Ｒが形成されている。拡大溝２７Ｒにより第二接触部６０の接触片６２が変形する空間が確保されている（図６参照）。第二収容部２２の後壁面のうち拡大溝２７Ｒ以外の部分は、第二筒部６１の後壁６１Ｒが接触するように構成されている。
【００４０】
図６、図８及び図９に示すように、第一接触部５０の下側の接触片５２の基端部５２Ａは、第一筒部５１の外側（前側）に突出している。また、第二接触部６０の下側の接触片６２の基端部６２Ａは、第二筒部６１の外側（後側）に突出している。
【００４１】
図１０に示すように、ハウジング本体２０は、カバー３０を係止する係止部２８を有する。係止部２８は、ハウジング本体２０の左右に一対形成されている。係止部２８は、ハウジング本体２０の左右の側壁から上方へ延びるように形成されている。ハウジング本体２０の係止部２８にカバー３０の被係止部３１が係止されることで、ハウジング本体２０にカバー３０が取り付けられる。ハウジング本体２０にカバー３０が取り付けられた状態において、カバー３０は、ハウジング本体２０に対して上下方向の僅かな範囲で移動可能な状態となる。つまり、カバー３０は、ハウジング本体２０に対して上下方向のガタツキがある状態となる。
【００４２】
＜カバー＞
図１１等に示すように、カバー３０は、端子４０の一部を収容する収容部３２を有する。収容部３２は、カバー３０の内部に形成された空間であり、カバー３０の天壁３０Ｔ（図６等）と前後左右の側壁３０Ｓに囲まれた空間である。
【００４３】
カバー３０は、第一接触部５０に上側から当接することで第一接触部５０の上方向の移動範囲を規制する規制部３３Ｆを備える。図７等に示すように、規制部３３Ｆは、第一接触部５０の第一筒部５１（の前壁５１Ｆ）の上端面に当接する。規制部３３Ｆは、収容部３２の前壁面に形成された下方向を向く面である。
カバー３０は、第二接触部６０に上側から当接することで第二接触部６０の上方向の移動範囲を規制する規制部３３Ｒを備える。規制部３３Ｒは、第二接触部６０の第二筒部６１（の後壁６１Ｒ）の上端面に当接する。規制部３３Ｒは、収容部３２の後壁面に形成された下方向を向く面である。
【００４４】
カバー３０の収容部３２の前壁面には、収容部３２が前方に拡大された拡大溝３４Ｆが形成されている。拡大溝３４Ｆは、上下方向に延びるように形成されている。
【００４５】
換言すると、収容部３２の前壁面のうち拡大溝３４Ｆ以外の部分は、拡大溝３４Ｆに対して突出した突出部３５といえる。突出部３５の上部は、突出量が大きな第一突出部３６とされ、突出部３５の下部は、突出量が第一突出部３６よりも小さな第二突出部３７とされている。第一突出部３６と第二突出部３７との境界に形成された段差における下方向を向く面が規制部３３Ｆとされている。
【００４６】
カバー３０の収容部３２の後壁面には、収容部３２が後方に拡大された拡大溝３４Ｒが形成されている。拡大溝３４Ｒは、第二接触部６０の上部の一部（後部）が収容される。
【００４７】
図６や図７に示すように、ハウジング本体２０は、端子４０の第一接触部５０を収容するハウジング本体前部２０Ｆと、端子４０の第二接触部６０を収容するハウジング本体後部２０Ｒと、を有する。ハウジング本体後部２０Ｒの下端は、ハウジング本体前部２０Ｆの下端よりも高い位置に形成されている。これにより、ハウジング本体後部２０Ｒの下方には、基板側部材１４が配置されるスペースが形成されている。
【００４８】
図３や図６、図７に示すように、基部１６は、基板固定端子１８の基板接続部１８ａが露出されるように構成されている。具体的には、基板固定端子１８は、Ｌ字状に形成されており、基板に沿って前後方向に延びる基板接続部１８ａと、上下方向に延びる端子接続部１８ｂと、を有する。基部１６は、端子接続部１８ｂのうち上下方向の中間部を保持し、端子接続部１８ｂのうち最下部、及び基板接続部１８ａを露出させる。そして、端子接続部１８ｂの基板接続部１８ａにリフローの熱が当たるようになっている。
【００４９】
＜作用効果＞
次に、本実施形態の作用効果について説明する。
【００５０】
本実施形態では、端子４０は、相手側端子９２と導通する第一接触部５０と、基板固定端子１８の端子接続部１８ｂと導通する第二接触部６０と、第一接触部５０から第二接触部６０まで伸長することで第一接触部５０と第二接触部６０とを連結する連結部７０と、を備える。連結部７０は、第一接触部５０が第二接触部６０に対して端子上下方向に相対変位できるように構成されている。
【００５１】
さらに、連結部７０は、第一接触部５０と第二接触部６０との間の空間を端子上方に向けて伸長する上方伸長部７３，７４，７５を有する。ここでいう「第一接触部と第二接触部との間の空間」とは、端子側面視で、第一接触部５０と第二接触部６０との間の空間をいう。
このため、第一接触部５０と第二接触部６０との間の空間を経由しないで連結部７０を形成する態様と比較して、連結部７０の長さを稼ぎやすい。その結果、大きな変位量（第二接触部６０に対する第一接触部５０の端子上下方向の変位量）を確保できる。
【００５２】
さらに、本実施形態では、連結部７０は、第一接触部５０の下端５０Ｌから第二接触部６０の上端６０Ｕまで伸長している。このため、連結部７０の長さをより一層長くできる。特に、本実施形態では、第一接触部５０の下端５０Ｌが第二接触部６０の下端６０Ｌよりも下方に位置し、第二接触部６０の上端６０Ｕが第一接触部５０の上端５０Ｕよりも上方に位置するので、連結部７０の長さを確保できると共に、基板側部材１４を高く設計でき、基板固定端子１８にリフロー半田付けのためのリフローの熱を当てやすい。
【００５３】
また、本実施形態では、連結部７０は、第一接触部５０の下端５０Ｌよりも下方には突出しないし、第二接触部６０の上端６０Ｕよりも上方には突出しない。このため、端子４０やコネクタ１０を上下に小型なものとすることができる。
【００５４】
また、本実施形態では、連結部７０が、その始点７０ａから終点７０ｂまでに亘って、その板厚方向を端子水平方向に向けている。このため、ハウジング本体２０に対して上方から端子４０を収容しやすい。つまり、端子４０の連結部７０を上方から差し込むために形成された溝（連結収容部２５や、連結収容部２５と第一収容部２１との接続部分）を狭く設計できる。
但し、連結部７０をハウジング本体２０に上方から差し込む点のみを考慮すると、板厚方向が端子水平方向を向いているのは、連結部７０を構成する第一後方伸長部７１、上方伸長部７４及び第二後方伸長部７７のうち、第一後方伸長部７１、上方伸長部７４だけでもよい。つまり、第二後方伸長部７７は、その板厚方向を端子上下方向に向けていてもよい。
【００５５】
また、本実施形態では、上方伸長部７３、７４、７５が、板面方向に蛇行する蛇行部ｓを複数有している。複数の蛇行部ｓにより上方伸長部７４が変形可能となっているので、これによって変位量を確保できる。なお、上方伸長部が有する蛇行部ｓの数は、必要な変形量に応じて１つに変更してもよい。
なお、上記実施形態では、上方伸長部７３、７４、７５に形成された蛇行部ｓが板面方向に蛇行している例を説明したが、蛇行部ｓは、板厚方向に蛇行する蛇行部ｓであってもよい。例えば、上記実施形態の蛇行部ｓを板厚方向に蛇行する蛇行部ｓに変更すると、端子側面視（図８参照）で蛇行している形状が判る構成となる。この場合の蛇行部ｓの数も、必要な変形量に応じて１つにしてもよい。
【００５６】
〔上記実施形態の補足説明〕
なお、上記実施形態では、連結部７０が、その始点７０ａから終点７０ｂまでに亘って、その板厚方向を端子水平方向に向けている例を説明したが、本発明はこれに限定されない。連結部７０の始点７０ａは、第一筒部５１の前壁５１Ｆや後壁５１Ｒから板厚方向に屈曲する屈曲部を介して伸長していてもよい。また、連結部７０の終点７０ｂは、第二筒部６１の前壁６１Ｆや後壁６１Ｒに板厚方向に屈曲する屈曲部を介して繋がっていてもよい。そして、第一後方伸長部７１や第二後方伸長部７７は、その板厚方向を端子上下方向に向けていてもよい。つまり、連結部７０における各部の板厚方向は特に限定されない。
【００５７】
また、上記実施形態では、カバー３０の規制部３３Ｆ，３３Ｒが、第一筒部５１や第二筒部６１の上端面に当接することで、第一接触部５０や第二接触部６０の上方向の移動範囲を制限していたが、本発明はこれに限定されない。例えば、第一接触部５０の突出部５９（図９等参照）や第二接触部６０の突出部６９がカバー３０の側壁３０Ｓの下端面に当接することで第一接触部５０や第二接触部６０の上方向の移動範囲が制限されるものとしてもよい。そのためには、例えば、突出部３５の第一突出部３６を省略し、突出部３５の全体を第二突出部３７と同じ突出量とすればよい。また、カバー３０の規制部３３Ｒを省略すればよい。
【符号の説明】
【００５８】
１０   コネクタ
１８   基板固定端子（第二接続対象物）
２０   ハウジング本体（ハウジング）
３０   カバー（ハウジング）
４０   端子（電気接続用端子）
５０   第一接触部
５０Ｕ 上端
５０Ｌ 下端
５１   第一筒部
５１Ｆ 前壁
５１Ｓ 側壁
５１Ｒ 後壁
６０   第二接触部
６０Ｕ 上端
６０Ｌ 下端
６１   第二筒部
６１Ｆ 前壁
６１Ｓ 側壁
６１Ｒ 後壁
７０   連結部
７０ａ 始点
７０ｂ 終点
７１   第一後方伸長部
７３，７４，７５     上方伸長部
７４   上方伸長部の中間部（板面方向に蛇行する蛇行部が複数形成された部分）
７７   第二後方伸長部
９２   相手側端子（第一接続対象物）
【図１】
2020024856.tif 000003
【図２】
2020024856.tif 000004
【図３】
2020024856.tif 000005
【図４】
2020024856.tif 000006
【図５】
2020024856.tif 000007
【図６】
2020024856.tif 000008
【図７】
2020024856.tif 000009
【図８】
2020024856.tif 000010
【図９】
2020024856.tif 000011
【図１０】
2020024856.tif 000012
【図１１】
2020024856.tif 000013